【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
ブロードキャストシステムにおける送信エンティティが送信パケットを送信する方法であって、
ブロードキャストサービスのサービスデータ及び送信遅延に対する情報を含むシグナリングデータを識別するステップであって、前記サービスデータは少なくとも一つのコンポーネントを含むステップと、
前記サービスデータ及び前記シグナリングデータを利用して複数の送信パケットを生成するステップと、
前記複数の送信パケットを受信エンティティに送信するステップとを含み、
前記シグナリングデータは、前記少なくとも一つのコンポーネントに対して要求される(required)最大バッファサイズに対する情報を提供する最大バッファサイズ情報及び前記送信エンティティと前記受信エンティティとの間の固定されたエンドツーエンド送信遅延に対する情報を提供する固定エンドツーエンド遅延情報を含むことを特徴とする方法。
【請求項２】
前記シグナリングデータは、前記送信エンティティと前記受信エンティティとの間の最大送信遅延に対する情報を提供する最大送信遅延情報をさらに含むことを特徴とする請求項１に記載の方法。
【請求項３】
前記固定エンドツーエンド遅延情報は、前記最大送信遅延情報及び順方向エラー訂正（ＡＬ−ＦＥＣ） 保護ウィンドー時間に基づいて設定されることを特徴とする請求項２に記載の方法。
【請求項４】
前記複数の送信パケットを受信エンティティに送信するステップは、
第１のコンポーネントのデータを含む少なくとも一つの第１の送信パケットを第１のトランスポートネットワークを通じて送信し、第２のコンポーネントのデータを含む少なくとも一つの第２の送信パケットを第２のトランスポートネットワークを通じて送信するステップを含むことを特徴とする請求項１に記載の方法。
【請求項５】
前記固定エンドツーエンド遅延情報は、前記第１の送信パケットが前記受信エンティティの第１のデジッタバッファから出力される時間が前記第２の送信パケットが前記受信エンティティの第２のデジッタバッファから出力される時間と同一にする値に設定されることを特徴とする請求項４に記載の方法。
【請求項６】
前記固定エンドツーエンド遅延情報は、前記第１のトランスポートネットワークに対する第１の固定されたエンドツーエンド送信遅延及び前記第２のトランスポートネットワークに対する第２の固定されたエンドツーエンド送信遅延のうちの大きい値に設定されることを特徴とする請求項４に記載の方法。
【請求項７】
前記第１のトランスポートネットワークは、ブロードキャストネットワーク（broadcast network）であり、前記第２のトランスポートネットワークは、ブロードバンドネットワーク（broadband network）であることを特徴とする請求項４に記載の方法。
【手続補正２】
【補正対象書類名】明細書
【補正対象項目名】００１４
【補正方法】変更
【補正の内容】
【００１４】
ブロードキャストサービス１１０は、例えば、４個のコンテンツコンポーネント、すなわち、第１乃至第４のコンテンツコンポーネント１１０−１、１１０−２、１１０−３、１１０−５及びメタデータ１１０−４を含むと仮定する。ここで、各コンテンツコンポーネント及びメタデータは、少なくとも１つのパケットを通して送信される。サービス１１０を構成するコンテンツコンポーネント及びメタデータは、マルチプレクサ１１５を通してトランスポートネットワークＡ１２０及びトランスポートネットワークＢ１２５の各々を通して受信器１３０に伝達される。マルチプレクサ１１５は、図面に図示していないが、コンテンツコンポーネント及びメタデータを送信に適合した送信パケットに変換するパケット生成器とコンテンツコンポーネント及びメタデータをトランスポートネットワークＡ１２０及びトランスポートネットワークＢ１２５の各々に分配する分配器とを含む形態にて構成できる。実施形態に従って、パケット生成器の前段又は後段に位置し、分配器がパケット生成器の前段に位置する場合には、分配器は、サービス１１０をコンテンツコンポーネント単位でトランスポートネットワークＡ１２０及びトランスポートネットワークＢ１２５に分配し、分配器がパケット生成器の後段に位置する場合には、サービス１１０を送信パケット単位でトランスポートネットワークＡ  １２０及びトランスポートネットワークＢ  １２５に分配する。具体的な例では、第１乃至第３のコンテンツコンポーネント１１０−１、１１０−２、１１０−３、及びメタデータ１１０−５がトランスポートネットワークＡ１２０に配信され、第４のコンテンツコンポーネント１１０−５がトランスポートネットワークＢ１２５に配信されると仮定する。他方、第１乃至第４のコンテンツコンポーネント１１０−１、１１０−２、１１０−３、１１０−５及びメタデータ１１０−４は、送信に適合した送信パケットに変換された後に、異なるトランスポートネットワーク、すなわち、トランスポートネットワークＡ１２０及びトランスポートネットワークＢ１２５の各々を通して送信される。このとき、トランスポートネットワークＡ１２０及びトランスポートネットワークＢ１２５は、ネットワークを構成する物理的な媒体とネットワーク構成要素の配列方式、及び、オペレータの政策（ｐｏｌｉｃｙ）などにより異なる遅延特性を有する。その結果、トランスポートネットワークＡ１２０を通して送信されたパケット、及び、トランスポートネットワークＢ１２５を通して送信されたパケットの各々は、受信器１３０に到着するまでかかる時間が変わる。
【手続補正３】
【補正対象書類名】明細書
【補正対象項目名】００２６
【補正方法】変更
【補正の内容】
【００２６】
また、ブロードバンドに対応するプロトコルスタックは、メインブロードキャスティング経路の付加的なブロードキャスティング経路として、ＭＭＴプロトコル（ＭＭＴＰ）を有する場合とＭＭＴＰを有しない場合とに区分できる。まず、ＭＭＴＰを有するブロードバンドに対応するプロトコルスタック３２０を経由する場合とブロードキャストネットワークに対応するプロトコルスタック３１０を経由する場合とを比較すると、プロトコルスタック３２０の方に相対的に大きい遅延及びジッタが発生する。発生する遅延及びジッタは、タイムスタンプを用いて測定できる。より具体的に、コンテンツコンポーネントがブロードバンドネットワークに対応するプロトコルスタック３２０を経由する場合、すなわち、コンテンツコンポーネントが、ＭＭＴＰパケットに変換された後にＭＭＴＰを使用して送信される場合に、対応するパケットの送信時間は、ＭＭＴＰパケットのヘッダを通して送信される。
【手続補正４】
【補正対象書類名】明細書
【補正対象項目名】００４０
【補正方法】変更
【補正の内容】
【００４０】
以下、本発明の実施形態での「固定されたエンドツーエンド遅延」は、異種ネットワークを通して同一のサービスのパケットを受信する受信器の受信されたパケットの出力時点に対応する。具体的には、本発明の実施形態による固定されたエンドツーエンド遅延は、対応する受信器に入力されるパケットが送信されるネットワーク別に固定されたエンドツーエンド遅延の中のうちの最大値に基づいて設定される。より具体的には、本発明の実施形態による固定されたエンドツーエンド遅延について、ハイブリッド配信環境が１つの放送局により提供される少なくとも２個のサーバと受信器との間で確立される場合には、初期設定過程の間に、受信器は、対応するサーバから送信遅延を測定し、測定された送信遅延の中で最大値を少なくとも１つの送信器に送信する。最大値を受信した送信器は、最大値及びＡＬ−ＦＥＣ保護ウィンドー時間を使用して計算した固定されたエンドツーエンド遅延を受信器に通知する。他方、複数の受信器が存在する場合に、送信器は、受信器毎に決定した固定されたエンドツーエンド遅延のうちの最大値を、（最終的な）固定されたエンドツーエンド遅延として各受信器に提供する。
【手続補正５】
【補正対象書類名】図面
【補正対象項目名】図３
【補正方法】変更
【補正の内容】
【図３】
2017525311.tif 000001
【手続補正６】
【補正対象書類名】図面
【補正対象項目名】図６Ｃ
【補正方法】変更
【補正の内容】
【図６Ｃ】
2017525311.tif 000002